(57)【要約】【課題】電子ブックに不慣れなユーザであっても直感的に頁送り操作及び頁戻し操作を容易に行うことが可能な表示装置を提供する。【解決手段】本発明の表示装置は、第一表示部と第二表示部との二つの表示部を含む表示手段を備えている。第一表示部と第二表示部とは、連結手段により開閉自在に連結されている。また、第一表示部の表示面と第二表示部の表示面とがなす角度である開閉角度の変化を検出する開閉検出手段を備えている。開閉角度が変化したことが検出されると、表示手段に表示する画像を変更する。なお書籍データを用いた画像表示を行っている場合は、表示する頁の頁番号を変更する。また頁変更量の指定を予め受け付けることにより、頁変更量だけ頁送り／頁戻しを行う。また加速度センサや角速度センサを用いて開閉時の加速度及び加速方向を判定し、判定結果に基づいて頁変更時の変更量を決定する。【選択図】図１
2009217415.tif 000002
【特許請求の範囲】
【請求項１】
第一表示部及び第二表示部を含む複数の表示部を備えた表示手段と、
前記第一表示部と前記第二表示部とを連結し、前記第一表示部と前記第二表示部とがなす角度である開閉角度を調整可能とした連結手段と、
前記開閉角度の変化を検出する開閉検出手段と、を備えた表示装置であって、
前記開閉角度が予め定められた角度を上回る或いは下回る角度変化が前記開閉検出手段により検出された場合に、前記表示手段に表示する画像を変更する表示画像判定手段を備えたことを特徴とする表示装置。
【請求項２】
前記表示画像判定手段が、一又は複数の画像と頁番号とを関連付けた頁管理情報を含む書籍データを用いて頁単位で画像を表示し、前記開閉検出手段により前記角度変化が検出された際に表示対象頁を変更することを特徴とする請求項１に記載の表示装置。
【請求項３】
前記表示画像判定手段が表示対象頁を変更する際の変更前頁番号と変更後頁番号との差分を示す頁変更量の指定を受け付け、前記頁変更量を記録手段に記録する頁変更量受付手段を備え、前記表示画像判定手段が、表示対象頁の変更を行う際に、前記頁変更量に基づいて変更後頁番号を決定することを特徴とする請求項２に記載の表示装置。
【請求項４】
前記表示画像判定手段が表示対象頁を変更する際の変更前頁番号と変更後頁番号との差分を示す頁変更量の指定を受け付け、前記頁変更量を記録手段に記録する頁変更量受付手段と、
前記開閉検出手段により前記角度変化が検出された際に、前記開閉角度の時間あたりの変化量を示す開閉速度を算出する開閉速度算出手段とを備え、
前記表示画像判定手段が、表示対象頁の変更を行う際に、前記頁変更量と前記開閉速度とに基づいて変更後頁番号を決定することを特徴とする請求項２に記載の表示装置。
【請求項５】
前記第一表示部及び前記第二表示部が加速度センサ及び／又は角速度センサを備え、
前記記録手段が、加速度及び／又は角速度と前記頁変更量とを関連付けた速度関連情報を記録しており、
前記開閉速度算出手段が、前記加速度センサ及び／又は角速度センサを用いて前記第一表示部の加速度及び／又は角速度と、前記第二表示部の加速度及び／又は角速度とを検出し、検出値の大小を比較し、前記検出値及び比較結果を前記表示画像判定手段に与え、
前記表示画像判定手段が、表示対象頁の変更を行う際に、前記検出値、前記比較結果、及び前記速度関連情報に基づいて変更後頁番号を決定することを特徴とする請求項３又は請求項４に記載の表示装置。
【請求項６】
前記開閉検出手段が、前記表示手段に設けられた磁性体の磁気を検出する磁気センサ及び／又は照度を検出する照度センサを用いて、前記表示手段の開閉状態を検知し、
前記表示画像判定手段が、前記磁気センサ及び／又は前記照度センサにより前記開閉状態の変化が検知された場合に表示対象頁を変更することを特徴とする請求項２〜請求項５のいずれかに記載の表示装置。
【請求項７】
前記表示装置に対する操作指示を受け付ける操作手段と、
前記操作手段により受け付けた指示に基づいて一又は複数の頁を指定頁として登録する指定頁登録手段とを備え、
前記表示画像判定手段が、前記開閉検出手段により前記角度変化が検出され、且つ前記操作手段に含まれる予め定められたボタンが押下状態であることが検知された場合に、前記角度変化の検知時における表示中頁から直近の指定頁を表示対象頁とすることを特徴とする請求項２〜請求項６のいずれかに記載の表示装置。
【請求項８】
前記表示画像判定手段が、前記開閉検出手段により前記開閉角度が予め定められた角度を下回って変化したことが検知された際に、前記表示手段に表示している画像を非表示とする、或いは予め定められた画像を表示することを特徴とする請求項１〜請求項７のいずれかに記載の表示装置。
【請求項９】
時間を計時する計時手段を備え、
前記表示画像判定手段が、前記開閉検出手段により前記開閉角度が予め定められた角度を下回って変化したことを検知し、且つ検知時から予め定められた時間が経過したことを前記計時手段により検知した際に、前記表示装置の電源を停止することを特徴とする請求項１〜請求項８のいずれかに記載の表示装置。
【請求項１０】
前記第一表示部及び／又は前記第二表示部の表面に圧力センサ及び突起部を備え、
前記表示画像判定手段が、前記圧力センサが前記突起部に接触することにより加圧を検知した際に前記開閉角度が最小になったと判定するとともに、前記開閉角度が最小の状態において予め定められた大きさを超える圧力を前記圧力センサが検知した際に、前記表示装置の電源を停止することを特徴とする請求項１〜請求項９のいずれかに記載の表示装置。
【発明の詳細な説明】
【技術分野】
【０００１】
本発明は、デジタル画像データを表示する電子書籍装置（以下、「電子ブック」という）に利用される表示装置に関するものであり、特に複数の表示部が開閉自在に設けられた表示装置に関する。
【背景技術】
【０００２】
近年、液晶パネル等を用いた薄型の表示装置が広く普及している。このような薄型表示装置は、軽量且つ設置スペースが小さいため、その設置場所や設置角度をユーザが適宜変更したり、容易に持ち運んだりできるという利点を持っている。
【０００３】
上記のような薄型表示装置の一つとして、電子ブックが実用化されている。電子ブックは、小説や雑誌等の書籍と同様のレイアウトで文字情報や画像情報を表示することにより、製本された書籍と同様の感覚で読書ができることを目的とした表示装置である。電子ブックは、例えばＳＤ（Secure Digital）メモリカードのような外部記録媒体や、ＬＡＮ（Local Area Network）等のネットワークを経由して書籍情報、例えば文字画像データや写真画像データ、レイアウトデータ等を取り込み、表示することが可能である。
【０００４】
上記に関連して特許文献１においては、書籍データ全体における表示頁の進行位置に応じて、当該表示頁の縁部に残り頁の重なり具合を示す縦縞模様を表示する電子ブックが開示されている。またこの電子ブックは、進行位置に応じた現頁数／総頁数を画面の一部に表示する。
【０００５】
また特許文献２においては、折り曲げ角度が深いときでも視認性、可読性が低下しない電子ブックが開示されている。この電子ブックは、開閉検出部から得られた電子ブックの開閉角度に応じて二つの表示画面の表示状態を変化させたり、連結部の近傍の画面領域の表示状態だけを変化させたりする。
【特許文献１】特開２００３−１５０２９８号公報
【特許文献２】特開２００６−２４３３６０号公報
【発明の開示】
【発明が解決しようとする課題】
【０００６】
特許文献１の電子ブックによれば、縦縞模様を介して書籍データ全体における進行状況を、ユーザに対して直感的且つ大まかに把握させることができる。また特許文献２の電子ブックによれば、ユーザにとって見にくい連結部の近傍の画面領域について、ユーザが見やすい表示状態に調整することができる。
【０００７】
しかしながら特許文献１及び特許文献２に開示されている電子ブックは、頁送り操作及び頁戻し操作をする場合、専用のジョグダイヤルを回したり、手首を返す動作をしたり、タッチパネルをなぞったりする等、電子ブックに特有の操作を行う必要があった。従ってユーザは、説明書等を読んで操作方法を予め理解しておく必要があった。このため、通常の書籍しか触れたことのないユーザにとっては、直感的に操作を行うことが難しいという問題があった。
【０００８】
本発明は、上記の問題を鑑みてなされたものであり、書籍データを表示する電子ブックに用いられる表示装置であって、電子ブックに不慣れなユーザであっても直感的に頁送り操作及び頁戻し操作を容易に行うことが可能な表示装置を提供することにある。
【課題を解決するための手段】
【０００９】
上記目的を達成するために本発明の表示装置は、第一表示部及び第二表示部を含む複数の表示部を備えた表示手段と、前記第一表示部と前記第二表示部とを連結し、前記第一表示部と前記第二表示部とがなす角度である開閉角度を調整可能とした連結手段と、前記開閉角度の変化を検出する開閉検出手段とを備えた表示装置であって、前記開閉角度が予め定められた角度を上回る或いは下回る角度変化が前記開閉検出手段により検出された場合に、前記表示手段に表示する画像を変更する表示画像判定手段を備えたことを特徴としている。
【００１０】
この構成によると、本発明の表示装置は、少なくとも第一表示部と第二表示部との二つの表示部を含む表示手段を備えている。第一表示部と第二表示部とは、連結手段により開閉自在に連結されている。また、第一表示部の表示面と第二表示部の表示面とがなす角度である開閉角度の変化を検出する開閉検出手段を備えている。連結手段を軸として第一表示部或いは第二表示部の傾動が行われると、開閉角度が変化したことを開閉検出手段が検出する。そして開閉角度が所定角度を上回って変化したこと、或いは所定角度を下回って変化したことが検出された場合に、表示画像判定手段が、表示手段に表示する画像を変更する。
【００１１】
上記目的を達成するために本発明の表示装置は、前記表示画像判定手段が、一又は複数の画像と頁番号とを関連付けた頁管理情報を含む書籍データを用いて頁単位で画像を表示し、前記開閉検出手段により前記角度変化が検出された際に表示対象頁を変更することを特徴としている。
【００１２】
この構成によると、本発明の表示装置は、一又は複数の画像を頁単位でまとめて表示するための頁管理情報を含む書籍データを用いた画像表示が可能である。書籍データには画像データ以外に、レイアウトデータ等の頁管理情報や、課金データ等が含まれている。書籍データは通常、頁番号順に画像を閲覧することを目的として作成されている。開閉検出手段により開閉角度が所定角度を上回って変化したこと、或いは所定角度を下回って変化したことが検出されると、表示画像判定手段は表示する頁の頁番号を変更する。この頁変更に伴い、表示手段に表示される画像が変更される。
【００１３】
上記目的を達成するために本発明の表示装置は、前記表示画像判定手段が表示対象頁を変更する際の変更前頁番号と変更後頁番号との差分を示す頁変更量の指定を受け付け、前記頁変更量を記録手段に記録する頁変更量受付手段を備え、前記表示画像判定手段が、表示対象頁の変更を行う際に、前記頁変更量に基づいて変更後頁番号を決定することを特徴としている。
【００１４】
この構成によると、頁変更量受付手段が、頁変更時の変更前頁番号と変更後頁番号との差分、つまりどれだけ頁送り／頁戻しを行うかを示す頁変更量の指定を受け付け、記録手段に記録する。表示画像判定手段は、表示頁の変更を行う際に、この頁変更量を参照して頁変更量だけ頁送り／頁戻しすることにより、表示頁を変更する。
【００１５】
上記目的を達成するために本発明の表示装置は、前記表示画像判定手段が表示対象頁を変更する際の変更前頁番号と変更後頁番号との差分を示す頁変更量の指定を受け付け、前記頁変更量を記録手段に記録する頁変更量受付手段と、前記開閉検出手段により前記角度変化が検出された際に、前記開閉角度の時間あたりの変化量を示す開閉速度を算出する開閉速度算出手段とを備え、前記表示画像判定手段が、表示対象頁の変更を行う際に、前記頁変更量と前記開閉速度とに基づいて変更後頁番号を決定することを特徴としている。
【００１６】
この構成によると、開閉検出手段により開閉角度の変化が検出された際に、開閉角度の時間あたりの変化量を示す開閉速度を算出する開閉速度算出手段を備えている。また、予め受け付けた頁変更量と開閉速度とを関連付けた速度関連情報を記録手段に記録している。表示画像判定手段は表示画像の変更を行う際に、検出された開閉速度と速度関連情報とから、頁変更量を決定する。そして決定した頁変更量だけ頁送り／頁戻しすることにより、表示頁を変更する。
【００１７】
上記目的を達成するために本発明の表示装置は、前記第一表示部及び前記第二表示部が加速度センサ及び／又は角速度センサを備え、前記記録手段が、加速度及び／又は角速度と前記頁変更量とを関連付けた速度関連情報を記録しており、前記開閉速度算出手段が、前記加速度センサ及び／又は角速度センサを用いて前記第一表示部の加速度及び／又は角速度と、前記第二表示部の加速度及び／又は角速度とを検出し、検出値の大小を比較し、前記検出値及び比較結果を前記表示画像判定手段に与え、前記表示画像判定手段が、表示対象頁の変更を行う際に、前記検出値、前記比較結果、及び前記速度関連情報に基づいて変更後頁番号を決定することを特徴としている。
【００１８】
この構成によると、第一表示部及び第二表示部がその内部に加速度センサや角速度センサを備えている。開閉速度算出手段は、この加速度センサや角速度センサを用いて、開閉角度の変化を検出する。また開閉速度算出手段は、これらのセンサから得られた第一表示部及び第二表示部の加速度や角速度を比較し、どちらの加速度／角速度が大きいかを判定する。検出された加速度／角速度と比較結果は表示画像判定手段に与えられる。これを受けた表示画像判定手段は、検出値、比較結果、及び速度関連情報に基づいて変更後頁番号を決定して頁変更を行う。
【００１９】
上記目的を達成するために本発明の表示装置は、前記開閉検出手段が、前記表示手段に設けられた磁性体の磁気を検出する磁気センサ及び／又は照度を検出する照度センサを用いて、前記表示手段の開閉状態を検知し、前記表示画像判定手段が、前記磁気センサ及び／又は前記照度センサにより前記開閉状態の変化が検知された場合に表示対象頁を変更することを特徴としている。
【００２０】
この構成によると、表示手段がその一部に磁石等の磁性体と、磁性体の磁気を検出する磁気センサとを備えている。また、表示手段がその表面に、照度を検出する照度センサを備えている。開閉検出手段は、磁気センサ或いは照度センサを用いて、表示手段が開状態であるか、或いは閉状態であるかの判定を行う。例えば開状態においては磁性体と磁気センサとが離れているため、磁気が検知されない。これが閉状態になると、磁性体と磁気センサとが接近して磁気が検知される。また例えば、照度センサを表示手段の内側、つまり表示面に設けることにより、開状態おいては照度を検知し、閉状態においては照度を検知しない。以上の検知結果により、状態判別が可能となる。開閉検出手段により開状態から閉状態への状態変化、或いはその逆が検知された場合、表示画像判定手段は表示対象頁の変更処理を実施する。
【００２１】
上記目的を達成するために本発明の表示装置は、前記表示装置に対する操作指示を受け付ける操作手段と、前記操作手段により受け付けた指示に基づいて一又は複数の頁を指定頁として登録する指定頁登録手段とを備え、前記表示画像判定手段が、前記開閉検出手段により前記角度変化が検出され、且つ前記操作手段に含まれる予め定められたボタンが押下状態であることが検知された場合に、前記角度変化の検知時における表示中頁から直近の指定頁を表示対象頁とすることを特徴としている。
【００２２】
この構成によると、操作手段により受け付けた指定に基づいて、一又は複数の頁を指定頁、例えばお気に入り頁として登録する指定頁登録手段を備えている。開閉検出手段により開閉状態の変化が検出され、且つ操作手段が備える所定ボタン、例えばお気に入り表示ボタン等が押下されている場合、表示画像判定手段は、開閉状態が変化した時点における表示中頁から最も近い頁番号の指定頁へ頁変更を行う。
【００２３】
上記目的を達成するために本発明の表示装置は、前記表示画像判定手段が、前記開閉検出手段により前記開閉角度が予め定められた角度を下回って変化したことが検知された際に、前記表示手段に表示している画像を非表示とする、或いは予め定められた画像を表示することを特徴としている。
【００２４】
この構成によると、開閉検出手段により開閉角度が予め定められた角度を下回ったことが検知された場合に、表示画像判定手段は、表示手段に表示している画像を非表示にする。或いは、予め定められた所定の画像、例えばメインメニュー画像やメーカーロゴ画像等に表示変更する。
【００２５】
上記目的を達成するために本発明の表示装置は、前記表示画像判定手段が、前記開閉検出手段により前記開閉角度が予め定められた角度を下回って変化したことを検知し、且つ検知時から予め定められた時間が経過したことを前記計時手段により検知した際に、前記表示装置の電源を停止することを特徴としている。
【００２６】
この構成によると、開閉検出手段により開閉角度が予め定められた角度を下回ったことが検知され、且つ検知時から予め定められた時間が経過したことを計時手段により検知した場合に、表示画像判定手段は表示装置の電源を停止する。
【００２７】
上記目的を達成するために本発明の表示装置は、前記第一表示部及び／又は前記第二表示部の表面に圧力センサ及び突起部を備え、前記表示画像判定手段が、前記圧力センサが前記突起部に接触することにより加圧を検知した際に前記開閉角度が最小になったと判定するとともに、前記開閉角度が最小の状態において予め定められた大きさを超える圧力を前記圧力センサが検知した際に、前記表示装置の電源を停止することを特徴としている。
【００２８】
この構成によると、第一表示部、第二表示部はその内側表面に圧力センサと突起部を備えている。閉状態になると圧力センサと突起部が接触する。これにより圧力センサにより加圧が検知された場合に、開閉角度が最小、つまり閉状態になったと判定する。また閉状態においてさらに圧力を検知し、且つ所定の圧力を超過した場合に、表示装置の電源を停止する。
【発明の効果】
【００２９】
本発明によれば、開閉角度が所定角度を上回って変化した場合、或いは所定角度を下回って変化したことが検出された場合に、表示手段に表示する画像を変更する。このためユーザは、表示手段の開閉を行うだけで表示画像の変更を行うことができる。従って操作ボタンやタッチパネル等を用いた画像変更操作を行う必要がない。これにより、通常の書籍に近い感覚で表示変更を行うことができるため、操作に不慣れなユーザでも直感的に操作を行うことができる。
【００３０】
また本発明によれば、開閉角度が所定角度を上回って変化した場合、或いは所定角度を下回って変化したことが検出された場合に、書籍データにおける頁変更処理を行う。頁変更に伴い、表示画像も変更される。このためユーザは、操作ボタンやタッチパネル等を用いた頁変更操作を行う必要がない。これにより、通常の書籍に近い感覚で頁変更を行うことができるため、操作に不慣れなユーザでも直感的に操作を行うことができる。
【００３１】
また本発明によれば、一回の頁変更指示に対して何頁分の頁変更を行うかを予め受け付けてメモリ等の記録手段に記録しておくことが可能である。このためユーザは、頁送り量及び頁戻し量（＝頁変更量）を自由に設定することができる。これにより例えば、一回の開閉動作で十頁分の頁送りを一度に行う等が可能であるため、操作ボタン等を用いた通常の頁送り操作との使い分けを行うことができる。
【００３２】
また本発明によれば、検出された開閉速度と速度関連情報とから、頁変更量を決定する。そして決定した頁変更量だけ頁送り／頁戻しを行うことにより、表示画像を変更する。このためユーザは、例えばゆっくりと開閉を行った場合は一頁分変更し、素早く開閉を行った場合は十頁分変更する等、開閉速度によって変更頁数を使い分けることができる。このため、多くの頁送りを行いたい場合に何度も開閉動作を行う必要がないため、利便性が向上する。
【００３３】
また本発明によれば、開閉が検知された際に、表示手段内部の加速度センサや角速度センサを用いて頁変更量を判定する。例えば、第一表示部が頁送り方向であり、且つ第一表示部の加速度が大きかった場合、頁送り、つまり頁番号の増加を行う。また例えば、第二表示部が頁送り方向であり、且つ第一表示部の加速度が大きかった場合、頁戻し、つまり頁番号の減少を行う。このためユーザは、表示部を動かすだけで頁送り／頁戻しの両方の操作を行うことができるため、利便性が向上する。また、通常の書籍に近い感覚で操作を行うことができるため、直感的に理解しやすいという効果がある。
【００３４】
また本発明によれば、表示手段に設けられた磁気センサや照度センサを用いて開閉状態の判定を行い、表示頁の変更を行う。このため、表示手段の開閉を容易且つ確実に検知することができる。
【００３５】
また本発明によれば、お気に入り頁等の指定頁の登録、及び指定頁表示用ボタンを備えている。指定頁表示用ボタンが押下された状態で開閉が行われると、直近の指定頁へ頁変更が行われる。従ってユーザは、通常の書籍に用いられる栞の感覚で、予め指定した頁を手軽に閲覧することができる。
【００３６】
また本発明によれば、表示手段が閉状態になった場合に、表示画像の非表示、或いは所定画像の表示を行う。このため、ユーザが表示手段を閲覧していない状態において無駄な消費電力を削減することができる。また、開閉動作のみによって所定の画面、例えばメニュー画面等を表示できるため、頻繁に表示したい画面が存在する場合に便利である。
【００３７】
また本発明によれば、表示手段が閉状態になってから所定時間が経過した時点で自動的に電源を停止する。このため、ユーザが表示装置を放置した状態において無駄な消費電力を削減することができる。
【００３８】
また本発明によれば、第一表示部及び第二表示部の内側表面に設けられた圧力センサと突起部とを用いて、閉状態を検知する。また閉状態において所定の圧力を加えられた場合に表示装置の電源を停止する。このため開閉状態を容易且つ確実に検知できるとともに、表示装置を閉じて圧力を加えるという簡易な操作で電源停止を行うことができる。
【発明を実施するための最良の形態】
【００３９】
以下に本発明の実施形態を、図面を参照しながら説明する。なお、ここで示す実施形態は一例であり、本発明はここに示す実施形態に限定されるものではない。
【００４０】
［実施の形態１］
〈１−１．内部構成について〉
図２は、本発明の第一の実施形態に係る電子ブック１（＝表示装置）の内部構成示すブロック図である。電子ブック１は少なくとも、制御部１１、フラッシュメモリ１２（＝記録手段）、操作部１３（＝操作手段）、ＬＣＤ（Liquid Crystal Display）１４（＝表示手段）、通信Ｉ／Ｆ（Interface）部１５、通信制御部１６、電源部１７、メモリスロット１８、データ入力部１９、センサ部２０、及び非接触型ＩＣ（Integrated Circuit）２１を含むように構成されている。なお、ＬＣＤ１４は右側ＬＣＤ１４ａ（＝第一表示部の構成要素）と左側ＬＣＤ１４ｂ（＝第二表示部の構成要素）との二つのＬＤＣを含むように構成されている。またメモリスロット１８に対して外部記録媒体であるメモリカード９０を着脱可能である。
【００４１】
制御部１１は、電子ブック１における画像表示処理を実施するため、各装置を制御する。これにより、フラッシュメモリ１２に記録されている書籍データや、外部より入力した書籍データの表示処理等を統括制御する。制御部１１は、例えば複数のマイクロプロセッサから構成されている。また制御部１１は、各装置（例えばセンサ部２０等）の制御やデータの計算、加工処理等を行う中枢部分となっている。なお、制御部１１が備える各機能部（図１に示す画像処理部１１ａ〜頁変更量受付部１１ｅ）の詳細については後述する。
【００４２】
フラッシュメモリ１２は、電子ブック１が保持する各種データを一時的に記録する記録媒体である。フラッシュメモリ１２は、例えば制御部１１によって各種情報処理が行われる際の処理データや、ＬＣＤ１４に表示するための書籍データ、音声メッセージ或いは文字メッセージを出力するためのメッセージデータ、電話番号やメールアドレス等の個人データ等を記録する役割を持つ。
【００４３】
操作部１３は、ユーザが電子ブック１に対して、画像の切り替え指示や書籍データの取得指示等の各種指示を行うためのものである。操作部１３により入力された指示は制御部１１により受け付けられ、指示の内容に基づいて各種制御処理が行われる。操作部１３は例えば、複数の操作ボタンやスイッチ等から構成される。或いは、ＬＣＤ１４がタッチパネル機能を備えている場合は、ＬＣＤ１４を介して操作指示を受け付けることも可能である。
【００４４】
ＬＣＤ１４は、フラッシュメモリ１２等に記録されている書籍データに基づき、文字画像や写真画像を表示する。或いは、ユーザによる接触を検知するタッチパネル機能を備えている形態であってもよい。これにより、表示画面上の所定領域への接触を検知することにより、その領域に関連付けられた処理、例えば頁送り処理等の実行指示を受け付けることが可能である。またＬＣＤ１４は、その内部に電子ペーパーを備えることにより、電源停止後も画像が表示された状態を維持することも可能である。
【００４５】
ここでＬＣＤ１４の構造の一例を、図３の外観図を用いて説明する。図３は、電子ブック１の前面に備えられた各装置部の一例を示した外観図である。図３に示すように電子ブック１は、右本体部３１ａ（＝第一表示部の構成要素）、左本体部３１ｂ（＝第二表示部の構成要素）、及び開閉軸部３２（＝連結手段）を含むように構成されている。右本体部３１ａは右側ＬＣＤ１４ａ及び加速度・角速度センサ２０ａを、左本体部３１ｂは左側ＬＣＤ１４ｂ、メモリスロット１８、加速度・角速度センサ２０ａ、及び照度センサ２０ｂを備えている。また図示していないが、電子ブック１の背面には革ジャケット等の装飾が施されており、ブックカバーを取り付けた書籍等に類似した外装をしている。
【００４６】
図３に示すように、右本体部３１ａ及び左本体部３１ｂは開閉軸部３２により開閉可能に連結されている。これにより、右側ＬＣＤ１４ａの表面部と左側ＬＣＤ１４ｂの表面部とが、図中の破線に示す開閉角度Δｔをなすようになっている。
【００４７】
開閉角度Δｔの可動範囲は開閉軸部３２の構造によって適宜変更可能である。本実施形態では、電子ブック１が閉状態になった場合に略０度、つまり右本体部３１ａの前面と左本体部３１ｂの前面とが接触する構造とする。また開状態になった場合に略３６０度、つまり右本体部３１ａの背面と左本体部３１ｂの背面とが接触する構造とする。
【００４８】
通信Ｉ／Ｆ部１５は、電子ブック１を通信ネットワークと接続するための物理的なインタフェースである。通信Ｉ／Ｆ部１５は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。なお、電話通信網に接続するためのアナログ接続端子やＩＳＤＮ通信網に接続するためのＩＳＤＮ接続端子を備える形態であってもよい。
【００４９】
通信制御部１６は、通信Ｉ／Ｆ部１５により接続された外部装置、例えば書籍データ配信サーバ等と相互通信を行うための通信制御を行う。これにより、外部装置より書籍データを購入して、フラッシュメモリ１２やＳＤメモリカード９０等の記録媒体に記録することにより、ユーザは好きなときに閲覧できるようになる。また通信Ｉ／Ｆ部１５が無線アンテナを備える場合、無線通信網を介する無線通信の制御を行う役割も持つ。
【００５０】
電源部１７は、乾電池、二次電池、或いは電子ブック１の表面に設けられた太陽電池(不図示）等から電力の供給を受け、電子ブック１の各部に対して電源電圧を与える。乾電池や二次電池より電力供給を受ける場合、電源部１７は電池スロット（不図示）を備え、これにより乾電池や二次電池と接続して電力供給を受ける。なお二次電池としては例えば、充電式アルカリ電池やリチウムイオンバッテリ等を用いることが可能である。
【００５１】
メモリスロット１８は、ＳＤメモリカード９０等の外部記録媒体を接続して情報の伝送を行うインタフェースである。ＳＤメモリカード９０には例えば、ユーザが購入した書籍データや、デジタルカメラで撮影した画像データ等が記録されている。メモリスロット１８は制御部１１からの指示により、これらのデータをフラッシュメモリ１２にコピーする。これにより、外部から入力した書籍データや画像データをＬＣＤ１４を用いて表示することができる。
【００５２】
データ入力部１９は、外部の書籍データ配信装置や画像記録装置等を有線或いは無線により接続して各種データの入力を行うための入力インタフェースである。データ入力部１９は例えば、シリアルケーブル接続用ソケットや、赤外線通信を行うためのＩｒＤＡポート（不図示）、或いはＵＳＢ接続端子（不図示）等を含むように構成されている。
【００５３】
センサ部２０は、図３に示す電子ブック１の右本体部３１ａ及び左本体部３１ｂが開閉軸部３２を軸として開閉するのを検知するとともに、開閉方向及び開閉角度Δｔ等を検出するための各種センサを備えている。
【００５４】
センサ部２０は例えば、開閉動作により右本体部３１ａ及び左本体部３１ｂに加えられる加速度及び角速度を検知する加速度・角速度センサ２０ａを、右本体部３１ａ及び左本体部３１ｂの内部（図３の破線部）に備えている。また周囲の照度を受光素子等により測定する照度センサ２０ｂを、右本体部３１ａ或いは左本体部３１ｂの表面に備えている。また、開閉軸部３２内部のヒンジ部に対して所定の電圧を印加し、発生電流を測定することにより開閉角度Δｔを判定する角度検出センサ２０ｃを備えている。
【００５５】
角度検出センサ２０ｃは例えば、ロータリタイプの検出スイッチを用いる。開閉軸部３２内部のヒンジ部が備える角度検出部材（不図示）が回転し、回転に伴って角度検出部材の可動接点が回転し、所定の角度で固定端子と接触する。これにより電流がＯＮ／ＯＦＦすることで、回転角度を検出することができる。
【００５６】
非接触型ＩＣ２１は、データの記録や演算をするための集積回路であり、本実施形態においてはユーザの個人データの記録や、書籍データを購入する際に使用される電子マネーの決算、課金情報の管理に用いられる。
〈１−２．機能部の構成について〉
ここで、本発明の第一の実施形態に係る電子ブック１の表示画像変更処理を実施するための各機能部の関係を、図１の機能ブロック図を用いながら説明する。
【００５７】
図１に示すように本発明の表示画像変更処理は少なくとも、制御部１１が備える画像処理部１１ａ、開閉検出部１１ｂ（＝開閉検出手段）、開閉速度算出部１１ｃ（＝開閉速度算出手段）、表示画像判定部１１ｄ（＝表示画像判定手段）、及び頁変更量受付部１１ｅ（＝頁変更量受付手段）と、フラッシュメモリ１２と、操作部１３と、ＬＣＤ１４と、センサ部２０とにより実現される。
【００５８】
表示画像変更部１１ａは、他の機能部からの指示を受けて、ＬＣＤ１４に画像を表示するための画像信号を生成する。具体的には、指示の種別に基づいて表示する画像を判別し、判別した画像の画像データをフラッシュメモリ１２から読み出す。例えば書籍データ名と表示頁番号を受けて、その頁を表示するための画像データを判別する。そして画像データのデコード処理を行って画像信号に変換しＬＣＤ１４に与えることにより、各種画像の表示を行う。なお、ここで言う画像とは、書籍データに含まれる各種書籍画像の他に、デジカメで撮影した画像や、各種操作パネル等を表示するための画像も含む。
【００５９】
開閉検出部１１ｂは、電子ブック１の開閉状態が変化したことを検出するためのものである。開閉検出部１１ｂは、右本体部３１ａ及び左本体部３１ｂが開閉軸部３２を軸として動かされたことを、加速度・角速度センサ２０ａを用いて検知する。そして加速度・角速度センサ２０ａから送られてくる検出加速度や加速方向等と、開閉検出前の開閉角度Δｔとに基づき、開閉動作後の開閉角度Δｔを算出する。そして算出した開閉角度Δｔが所定値を超えるかどうかにより、開状態であるか閉状態であるかの判定を行う
また開閉検出部１１ｂは、照度センサ２０ｂ及び角度検出センサ２０ｃを用いた開閉状態の判定も行う。開閉検出部１１ｂは、照度センサ２０ｂから与えられる照度検出値が所定値を超えていれば開状態、所定値を下回っていれば閉状態と判定する。また角度検出センサ２０ｃから与えられる検出角度が所定値を超えていれば開状態、所定値を下回っていれば閉状態と判定する。以上の方法により、電子ブック１が開状態から閉状態、或いはその逆に変化したことが検知されると、検出した開閉角度Δｔ及び現在の開閉状態を、後述する表示画像判定部１１ｄに与える。
【００６０】
開閉速度算出部１１ｃは、加速度・角速度センサ２０ａにより右本体部３１ａ及び左本体部３１ｂに加速が加えられたことを検知した際に、所定時間内、例えば開閉動作の検知開始から検知終了までの時間内において測定された加速度の最大値を、最大加速度として取得する。そして右本体部３１ａで検知された最大加速度と、左本体部３１ｂで検出された最大加速度とを比較し、どちらの最大加速度が大きいかを判定する。判定結果及び左右の最大加速度は次の表示画像判定部１１ｄに与えられる。
【００６１】
表示画像判定部１１ｄは、開閉検出部１１ｂにより開閉状態の変化が検知された際に、変化後の状態に応じた処理を行う。閉状態に変化した場合は、閉状態移行後の経過時間を不図示のタイマ（＝計時手段）で計測し、所定時間が経過したことが検知された時点で電子ブック１の電源を停止する。或いは、閉状態に変化した直後に、メインメニュー画面やメーカーロゴ画面を表示する形態であってもよい。
【００６２】
逆に開状態に変化した場合は、開閉速度算出部１１ｃから与えられた最大加速度及び判定結果に基づいて、ＬＣＤ１４に表示する画像を変更する処理を行う。なお書籍データを用いた画像表示を行っている場合は、表示画像単位で変更を行うのではなく、書籍データが含む頁番号の変更を行うことにより、頁単位で表示画像の変更を行う。以下では、書籍データを用いた場合を例として説明を行う。
【００６３】
表示画像判定部１１ｄは、開閉検出部１１ｂにより与えられた最大加速度と、予めフラッシュメモリ１２に記録されている頁変更量情報（＝速度関連情報）とを参照して頁変更量を決定する。本実施形態における頁変更量情報の一例を、図４のテーブル図を用いて説明する。図４に示すテーブルには、開閉動作が検知された際の加速度と、加速度に対応する頁変更量とが関連付けて記録されている。
【００６４】
本実施形態の頁変更量情報は、開閉速度が速くなるにつれ、頁変更量が大きくなるように設定される。これにより例えば、通常は一回の開閉動作により一頁或いは二頁の頁送りを行うところを、素早い開閉動作を行うことにより一度に所定数の頁送りをまとめて行うことが可能である。例えば検出された最大加速度が０．２である場合、八頁分の頁変更を一度に行うこととなる。なお、図４に示す値は参考値であり、本発明の主旨を逸脱しない範囲において適宜変更可能である。
【００６５】
また表示画像判定部１１ｄは、開閉動作が右本体部３１ａ及び左本体部３１ｂのいずれを主として行われたかを判定する。例えば開閉速度算出部１１ｃから与えられた判定結果（＝左右いずれの最大加速度が大きいか）が、右本体部３１の最大加速度の方が大きいことを示していたとする。この場合、主に右本体部３１ａを動かすことによる開閉動作が行われたと判定する。逆の場合は、主に左本体部３１ｂを動かすことによる開閉動作が行われたと判定する。
【００６６】
表示画像判定部１１ｄは、開閉動作が行われた方向と、書籍データに含まれるレイアウトデータ等の管理情報から、頁送りを行うか、或いは頁戻しを行うかを判定する。例えば書籍データが、雑誌等のような左方向へ読み進める形式であったとする。この場合、左本体部３１ｂを主とした開閉動作であれば頁送り処理、つまり頁番号の増加を行う。
【００６７】
逆に右本体部３１ａを主とした開閉動作であれば頁戻し処理、つまり頁番号の減少を行う。読み進める方向が上記とは逆の書籍データであれば、表示頁番号の増減も逆となる。なお、頁増減量は頁変更量情報に基づいて算出した値を用いる。以上により判別した表示変更後の表示対象頁の表示指示を、表示画像変更部１１ａに対して与える。
【００６８】
頁変更量受け付け部１１ｅは、表示画像判定部１１ｄが用いる頁変更量情報の編集操作を受け付ける。具体的には例えば、操作部１３による設定操作等により、頁送り設定モードに移行する。頁送り設定モードにおいては、ユーザは操作部１３に含まれるボタンの操作を行うことにより、加速度に対応する頁変更量の指定を行うことが可能である。受け付けた指示は、フラッシュメモリ１２に記録されている頁変更量情報へ反映される。
〈１−３．表示画像変更処理について〉
ここで、本発明の第一の実施形態に係る電子ブック１の表示画像変更処理を、図１及び図２のブロック図と、図３の外観図と、図５のフロー図とを用いながら説明する。
【００６９】
図５は、本発明に係る表示画像変更処理の処理フローを示したフローチャートである。本処理は、電子ブック１の電源が起動している状態において、任意のタイミングで開始することが可能である。
【００７０】
本処理の開始後、開閉検出部１１ｂはステップＳ１１０において、ＬＣＤ１４を含む右本体部３１ａ或いは左本体部３１ｂの動きをセンサ部２０により検知したかどうかの判定を行う。動きを検知していない場合、再びステップＳ１１０に移行する。動きを検知した場合、開閉検出部１１ｂはステップＳ１２０において、電子ブック１の開閉状態を判定する。開閉状態の判定方法は、加速度・角速度センサ２０ａ、照度センサ２０ｂ、及び角度検出センサ２０ｃ等を組み合わせて行う。
【００７１】
上記の判定結果に基づき、ステップＳ１３０において処理の分岐を行う。閉状態である場合は次のステップＳ１４０に移行する。開状態である場合は後述するステップＳ１８０に移行する。開閉検出部１１ｂはステップＳ１４０において、閉状態の電子ブック１における開方向への動きが、センサ部２０により検知されたかどうかの判定を行う。動きが検知された場合、前述のステップＳ１２０に再び移行する。動きが検知されていない場合、開閉検出部１１ｂはステップＳ１５０において、閉状態になってから所定時間が経過したかを、タイマを用いて判定する。
【００７２】
所定時間が経過している場合、ステップＳ１６０において電子ブック１の電源を停止したのち、本処理を終了する。所定時間が経過していない場合、前述のステップＳ１４０に再び移行する。
【００７３】
ステップＳ１３０に戻り説明をすると、ステップＳ１３０において開状態と判定された場合、開閉速度算出部１１ｃはステップＳ１８０において、加速度・角速度センサ２０ａにより開閉時に検知された加速度の最大値を取得する。そしてステップＳ１９０において、取得した最大加速度から、右本体部３１ａ及び左本体部３１ｂのいずれの加速度がより大きいかを判定する。開閉速度算出部１１ｃは最大加速度及び判定結果を表示画像判定部１１ｃに与える。
【００７４】
次に表示画像判定部１１ｄはステップＳ２００において、上記の最大加速度及び判定結果から頁変更量の算出を行う。なお、算出方法は〈１−２．機能部の構成について〉において説明したとおりであるため、ここでは説明を省略する。次に表示画像判定部１１ｄはステップＳ２１０において、算出した頁変更量に基づき頁送り或いは頁戻しを行うことにより、表示頁の変更を行う。この結果、画像処理部１１ａにより表示される画像が切り替えられる。頁変更後、再びステップＳ１１０に移行し、センサ２０による開閉動作の検知を継続して行う。
【００７５】
以上に説明した本実施形態によれば、開閉角度Δｔが変化したことが検出された場合に、ＬＣＤ１４に表示する書籍データの表示頁変更を行う。このこのためユーザは、表示手段の開閉を行うだけで頁変更を行うことができる。また検出された開閉速度に応じて、頁変更量を変化させるため、例えば多くの頁送りをまとめて行いたい場合に、何度も開閉動作を行う必要がない。
【００７６】
また本実施形態によれば、加速度・角速度センサを用いて加速度が大きい方向を判定し、判定結果に基づいて頁送り／頁戻しの処理分岐を行う。このためユーザは、表示部を動かすだけで頁送り／頁戻しの両方の操作を行うことができるため、通常の書籍に近い感覚で操作を行うことができる。また、加速度に応じた頁変更量を自由に変更できるため、操作ボタン等を用いた通常の頁送り操作と使い分けを行うことができる。
【００７７】
［実施の形態２］
〈２−１．内部構成について〉
ここで、本発明の第二の実施形態に係る電子ブック１の内部構成を説明する。本実施形態に係る電子ブック１の内部構成の概要は、実施の形態１の図２と同内容であるが、一部の部材の機能が異なる。
【００７８】
本実施形態のセンサ部２０は、磁性体の磁気を検知する磁気センサ２０ｄと、接触による圧力検知を行う圧力センサ２０ｅを備えている。図７は、本実施形態に係る電子ブック１の外観の一例を示した外観図である。図７の例では、左本体部３１ｂの正面左上に磁気センサ２０ｄが、左本体部３１ｂの正面左下に圧力センサ２０ｅが設けられている。なお、磁気センサ２０ｄは左本体部３１ｂの内部に埋め込まれていることが望ましい。
【００７９】
上記に対して右本体部３１ａの正面右上には磁石２１（＝磁性体）、右本体部３１ａの正面右下には突起部２２が設けられている。なお、磁石２１は右本体部３１ａの内部に埋め込まれていることが望ましい。図７の状態から閉動作、つまり開閉軸部３２を軸としてＬＣＤ１４ａの表面部とＬＣＤ１４ｂの表面部とが密接する方向へ移動すると、磁気センサ２０ｄが磁石２１に接近して磁力を検知する。また圧力センサ２０ｅが突起部２２に接触することにより、加圧を検知する。これらの検知が行われた場合に、開閉検出部１１ｂは電子ブック１が閉状態になったと判定する。
【００８０】
なお図示していないが、右本体部３１ａは磁石２１が設けられた位置の背面側に防磁シートを備えている。これにより、例えば開閉角度Δｔが３６０度に近づいた場合、つまり電子ブック１を裏返した状態になった場合に、磁気センサ２０ｄが磁石２１と接近しても磁力を検知しない。これにより、裏返した場合に閉状態になったと誤検知するのを防止することができる。なお、磁気センサ２０ｄ及び圧力センサ２０ｅの設置位置及び設置数は上記の例に限定されるものではなく、本発明の主旨を逸脱しない範囲において適宜変更可能である。
〈２−２．機能部の構成について〉
ここで、本発明の第二の実施形態に係る電子ブック１の表示画像変更処理を実施するための各機能部の関係を、図６の機能ブロック図を用いながら説明する。
【００８１】
本実施形態の制御部１１は実施の形態１の画像処理部１１ａ〜頁変更量受付部１１ｅに加え、指定頁登録部１１ｆ（＝指定頁登録手段）を備えている。指定頁登録部１１ｆは、操作部１３が備える所定ボタン、例えばお気に入り登録ボタン等により、指定頁の登録を受け付ける。受け付けた指定頁の頁番号は、フラッシュメモリ１２に記録される。
【００８２】
開閉検出部１１ｂにより電子ブック１の開閉が検知され、且つ表示画像変更処理が開始された場合に、指定頁登録部１１ｆは操作部１３が備える指定頁表示用ボタン、例えばお気に入り表示ボタンが押下されているかどうかを判定する。押下が検知されている場合、指定頁登録部１１ｆは表示画像判定部１１ｄに対して、登録されている指定頁の中から、現在表示中の頁に最も近い頁を表示することを指示する。この指示を受けた表示画像判定部１１ｄは、通常の頁送り／頁戻し処理よりも優先して、登録されている指定頁への頁変更処理を行う。
【００８３】
なお、指定頁への頁変更方法としては、開閉動作に基づいて決定した頁送り／頁戻し方向に関係なく行う方法と、頁送り／頁戻し方向に関連して行う方法のどちらでもよい。頁送り／頁戻し方向に関係なく行う場合、表示中頁の前後に存在する指定頁の中から最も近い指定頁へ頁変更を行う。頁送り／頁戻し方向に関連して行う場合、例えば右本体部３１ａを主として開閉動作が行われ、且つ右方向が頁戻し方向である場合、表示中頁よりも小さい頁番号の中に存在する指定頁の中から最も近い指定頁へ頁変更を行う。この際、表示中頁よりも頁番号が大きい指定頁については、チェックを行わない。これによりユーザは、指定頁を用いた頁送り／頁戻しを選択的に行うことができる。
〈２−３．表示画像変更処理について〉
ここで、本発明の第二の実施形態に係る電子ブック１の表示画像変更処理を、図２及び図６のブロック図と、図７の外観図と、図８のフロー図とを用いながら説明する。なお、実施の形態１の図５と同内容の処理については、同じステップ番号を付加することにより説明を省略するものとする。
【００８４】
ステップＳ１１０〜ステップＳ１３０については、実施の形態１と同内容であるため、説明を省略する。ステップＳ１３０において電子ブック１が閉状態であると判定された場合、開閉検出部１１ｂはステップＳ１３５において、圧力センサ２０ｅにより、所定値を超える圧力を検知したかどうかの判定を行う。圧力を検知した場合、ステップＳ１６０において電子ブック１の電源を停止したのち、本処理を終了する。圧力を検知していない場合、ステップＳ１４０に移行する。ステップＳ１４０〜ステップＳ１６０については、実施の形態１と同内容であるため、説明を省略する。
【００８５】
またステップＳ１９０の次に、指定頁登録部１１ｆはステップＳ１９５において、操作部１３が備える指定頁表示用ボタン、例えばお気に入り表示ボタン等が押下されているかどうかを判定する。押下が検知されていない場合、ステップＳ２００に移行する。押下が検知されている場合、指定頁登録部１１ｆはステップＳ２０５において、登録されている指定頁の中から現在表示中の頁に最も近い頁を検索する。そして該当する頁への頁変更を、表示画像判定部１１ｄに対して指示する。この指示を受けた表示画像判定部１１ｄはステップＳ２１０において、通常の頁送り／頁戻し処理よりも優先して、該当する指定頁へ頁変更を行う。この結果、画像処理部１１ａによる表示画像の変更が行われる。
【００８６】
以上に説明した本実施形態によれば、磁気センサ２０ｄ及び圧力センサ２０ｅを用いて開閉状態を検知するため、電子ブック１の開閉を容易且つ確実に検知することができる。
また閉状態において所定の圧力を加えられた場合に表示装置の電源を停止するため、ユーザは電子ブック１を閉じた状態で圧力を加えるという簡易な操作で、電源停止を行うことができる。
【００８７】
また本発明によれば、お気に入り頁等の指定頁の登録、及び指定頁表示用ボタンによる指定頁への移動を可能としている。従ってユーザは、通常の書籍において栞を用いる感覚で、予め指定しておいた頁を手軽に閲覧することができる。
［その他の実施の形態］
以上、好ましい実施の形態及び実施例を挙げて本発明を説明したが、本発明は必ずしも上記実施の形態に限定されるものではなく、その技術的思想の範囲内において様々に変形して実施することができる。
【００８８】
従って本発明は、以下の形態にも適用可能である。
【００８９】
（Ａ）本実施形態では書籍データを用いた画像表示時の画像変更処理、つまり頁単位での画像変更処理を例に説明しているが、通常の画像データを用いた画像表示処理において実施することも可能である。これにより例えば、複数の画像をファイル名順にスライドショー表示する場合において、開閉動作を検知する毎に、表示画像をファイル名順に表示変更する。或いは、開閉速度に応じて表示する画像を所定数だけスキップながら、表示変更する。これにより、書籍データを閲覧しているのと同じ感覚で、手軽に複数の画像を閲覧することができる。
【００９０】
（Ｂ）本実施形態では加速度と頁変更量とを関連付けているが、速度・角速度センサ２０ａにより検出される角速度と頁変更量とを関連付けて頁変更量情報に記録しておく形態でもよい。或いは、加速度及び角速度の両方と頁変更量とを関連付けて頁変更量情報に記録しておく形態でもよい。
【００９１】
（Ｃ）本実施形態では、ＬＣＤ１４における表示画像変更処理に関わる各種機能部が、マイクロプロセッサ等の演算処理装置上でプログラムを実行することにより実現されているが、各種機能部が複数の回路により実現される形態でもよい。
【００９２】
（Ｄ）本実施形態では、開閉動作検知による表示画像変更処理を実施する表示装置として電子ブック１を例として説明しているが、開閉機構を備えた表示装置であれば、これ以外の装置において本発明を用いる形態でもよい。例えば、ＰＤＡ、携帯電話、ノートパソコン、カーナビ、ポータブルテレビ等において用いる形態であってもよい。
【図面の簡単な説明】
【００９３】
【図１】は、第一実施形態の表示装置が備える機能部の構成を示す機能ブロック図である。
【図２】は、第一実施形態の表示装置の内部構成を示すブロック図である。
【図３】は、第一実施形態の表示装置の外観を示す外観図である。
【図４】は、本発明の頁変更量情報の一例を示すテーブル図である。
【図５】は、第一実施形態の表示画像変更処理の処理フローを示すフロー図である。
【図６】は、第二実施形態の表示装置が備える機能部の構成を示す機能ブロック図である。
【図７】は、第二実施形態の表示装置の外観を示す外観図である。
【図８】は、第一実施形態の表示画像変更処理の処理フローを示すフロー図である。
【符号の説明】
【００９４】
１      電子ブック（表示装置）
１１    制御部
１１ｂ  開閉検出部（開閉検出手段）
１１ｃ  開閉速度算出部（開閉速度算出手段）
１１ｄ  表示画像判定部（表示画像判定手段）
１１ｅ  頁変更量受付部（頁変更量受付手段）
１１ｆ  指定頁登録部（指定頁登録手段）
１２    フラッシュメモリ（記録手段）
１３    操作部（操作手段）
１４    ＬＣＤ（表示手段）
１４ａ  右側ＬＣＤ（第一表示部）
１４ｂ  左側ＬＣＤ（第二表示部）
２０    センサ部（開閉検出手段）
２０ａ  加速度・角速度センサ（加速度センサ、角速度センサ）
２０ｂ  照度センサ
２０ｃ  角度検出センサ
２０ｄ  磁気センサ
２０ｅ  圧力センサ
２１    磁石（磁性体）
２２    突起部
３１ａ  右本体部（第一表示部）
３１ｂ  左本体部（第二表示部）
３２    開閉軸部（連結手段）
【図１】
2009217415.tif 000003
【図２】
2009217415.tif 000004
【図３】
2009217415.tif 000005
【図４】
2009217415.tif 000006
【図５】
2009217415.tif 000007
【図６】
2009217415.tif 000008
【図７】
2009217415.tif 000009
【図８】
2009217415.tif 000010